(57)【要約】【課題】軒樋の内部を流れる雨水が呼び樋へと効率良く排水される呼び樋接続構造を提供する。【解決手段】軒樋１の後壁部２に排水開口３を形成し、この排水開口３に後方へ連設される呼び樋４の前端部５を接続してなる呼び樋接続構造において、軒樋１の内部前方に、同軒樋１の内部をその長手方向に沿って流れる雨水を当て止めて後方へと案内する止水片６を設けた。ここでは、止水片６が長手方向と略直交する板状に形成されており、この止水片６は排水開口３の略中央に対応位置している。【選択図】　　　　　図１
2004084219.tif 000002
【特許請求の範囲】
【請求項１】
軒樋の後壁部に排水開口を形成し、この排水開口に後方へ連設される呼び樋の前端部を接続してなる呼び樋接続構造であって、軒樋の内部前方に、同軒樋の内部をその長手方向に沿って流れる雨水を当て止めて後方へと案内する止水片を設けてなる呼び樋接続構造。
【請求項２】
止水片を軒樋の長手方向と略直交する板状に形成し、この止水片を排水開口の略中央に対応位置させて、この排水開口と同止水片の後端縁との間に流水スペースが残存されるように、同止水片を設けたことを特徴とする請求項１記載の呼び樋接続構造。
【請求項３】
止水片の前端縁を軒樋の前壁部の内面に沿った形状とし、下端縁を同軒樋の底部の内面に沿った形状として、この下端縁から両側方へ突出する設置片を同止水片と一体に形成し、この設置片を同軒樋の底部の内面に取着固定して、同止水片を設けたことを特徴とする請求項２記載の呼び樋接続構造。
【請求項４】
排水開口に後方へ突出する排水接続具を取着固定して、この排水接続具に呼び樋の前端部を接続し、同排水接続具の前端部分に形成されて前記排水開口に沿い軒樋の内面に当接されるフランジの底片部の前端に、この底片部と略同厚に形成した設置片の後端が当接されるように、止水片を設けたことを特徴とする請求項３記載の呼び樋接続構造。
【請求項５】
排水接続具のフランジの両側片部及び上片部の内周角部分に面取り状部を形成したことを特徴とする請求項４記載の呼び樋接続構造。
【発明の詳細な説明】
【０００１】
【発明の属する技術分野】
本発明は、軒樋の後壁部に排水開口を形成し、この排水開口に後方へ連設される呼び樋の前端部を接続してなる呼び樋接続構造に関するものである。
【０００２】
【従来の技術】
従来から、図６に示す如く、軒樋１の後壁部２に排水開口３を形成し、この排水開口３に後方へ連設される呼び樋４の前端部５を接続してなる呼び樋接続構造は知られている。この呼び樋接続構造は、特開２００１−３２４６８号公報に開示されたものである。この場合、呼び樋４は偏平な形状で、その両側に配設される軒天井板と略同じ高さに設けられるものである。又、排水開口３には後方へ突出する排水接続具１３が取着固定されており、この排水接続具１３に呼び樋４の前端部５が接続されている。
【０００３】
したがって、この呼び樋接続構造においては、呼び樋４が軒天井板と略同じ高さに納まり、施工仕上がり外観は良好となる。又、呼び樋４と軒樋１との接続部位が排水接続具１３を介した構造となって、同呼び樋４と軒樋１とは水漏れしないよう簡単且つ確実に接続される。
【０００４】
【発明が解決しようとする課題】
しかしながら、上記従来の技術にあっては、軒樋１の内部をその長手方向（図面向かって前後方向）に沿って流れる雨水が後方（図面向かって右方向）の呼び樋４へと方向を変えて流れ難く、そのため、同軒樋１の内部には多量の雨水が残留し易くて、雨水の排水効率が良くないという問題があった。すなわち、軒樋１の内部ではその長手方向に沿って雨水が勢いをもって流れており、又、呼び樋４は偏平な形状でこの呼び樋４及びこれと軒樋１の底部１１との間ではほとんど水勾配が施されず、それ故、同軒樋１の内部を流れる雨水がその方向を変えて呼び樋４へとは流れ難いものであり、雨水は効率良く排水されないものであった。
【０００５】
本発明は、上記従来の技術における問題を悉く解決するために発明されたもので、その課題は、軒樋の内部を流れる雨水が呼び樋へと効率良く排水される呼び樋接続構造を提供することである。
【０００６】
【課題を解決するための手段】
本発明の請求項１記載の呼び樋接続構造は、軒樋の後壁部に排水開口を形成し、この排水開口に後方へ連設される呼び樋の前端部を接続してなる呼び樋接続構造であって、軒樋の内部前方に、同軒樋の内部をその長手方向に沿って流れる雨水を当て止めて後方へと案内する止水片を設けてなる。
【０００７】
したがって、この場合、軒樋の内部をその長手方向に沿って流れる雨水が、この軒樋の内部前方に設けられる止水片で当て止められると、同雨水はその流れる勢いで向きを変えて後方へと案内されて流れ、同軒樋の後壁部の排水開口に後方へ連設接続される呼び樋へとスムーズに排水される。そのため、軒樋の内部に多量の雨水が残留することは防止され、雨水の排水効率が向上される。
【０００８】
本発明の請求項２記載の呼び樋接続構造は、上記請求項１記載の呼び樋接続構造において、止水片を軒樋の長手方向と略直交する板状に形成し、この止水片を排水開口の略中央に対応位置させて、この排水開口と同止水片の後端縁との間に流水スペースが残存されるように、同止水片を設けたことを特徴とする。
【０００９】
したがって、この場合は特に、軒樋の長手方向と略直交する板状の止水片が排水開口の略中央に対応位置されるので、この止水片で当て止められた雨水は、同排水開口の略中央へ向かって流され、呼び樋内へとスムーズに排水されて、雨水の排水効率がより向上される。
【００１０】
又、一般に、呼び樋は軒樋の長手方向の端部付近に連設接続され、この端部とは反対側から止水片に多量の雨水が当て止められることになり、その際、排水開口と同止水片の後端縁との間に流水スペースが残存されていることで、雨水は同止水片の両側へ行き来することができ、この雨水は同排水開口へと両側から均等に流され、この排水開口付近に淀むことなく呼び樋へとよりスムーズに排水されて、雨水の排水効率がより向上されるものでもある。
【００１１】
本発明の請求項３記載の呼び樋接続構造は、上記請求項２記載の呼び樋接続構造において、止水片の前端縁を軒樋の前壁部の内面に沿った形状とし、下端縁を同軒樋の底部の内面に沿った形状として、この下端縁から両側方へ突出する設置片を同止水片と一体に形成し、この設置片を同軒樋の底部の内面に取着固定して、同止水片を設けたことを特徴とする。
【００１２】
したがって、この場合は特に、止水片の前端縁及び下端縁が軒樋の前壁部及び底部の内面に各々沿った形状とされるので、この止水片の前方及び下方には隙間が生じ難く、隙間を通って雨水に乱流を発生することが防止されて、同雨水は確実に後方へと案内され、呼び樋へとよりスムーズに排水されて、雨水の排水効率がより向上される。
【００１３】
しかも、止水片の下端縁から両側方へ一体に突出する設置片が形成され、この設置片を軒樋の底部の内面に取着固定しているので、この軒樋の底部の内面に同止水片は簡単且つ確実に立設される。又、これにより、止水片の下方における前記隙間の発生が確実に防止されるようにもなる。
【００１４】
本発明の請求項４記載の呼び樋接続構造は、上記請求項３記載の呼び樋接続構造において、排水開口に後方へ突出する排水接続具を取着固定して、この排水接続具に呼び樋の前端部を接続し、同排水接続具の前端部分に形成されて前記排水開口に沿い軒樋の内面に当接されるフランジの底片部の前端に、この底片部と略同厚に形成した設置片の後端が当接されるように、止水片を設けたことを特徴とする。
【００１５】
したがって、この場合は特に、軒樋の排水開口と呼び樋の前端部とは排水接続具を介して連設接続され、その際、この排水接続具の前端部分に形成されるフランジが同排水開口に沿い軒樋の内面に当接されるので、この軒樋と同呼び樋とは水漏れしないよう簡単且つ確実に接続される。
【００１６】
しかも、排水接続具のフランジの底片部前端に、この底片部と略同厚に形成した設置片の後端が当接されるように、止水片を設けているので、同設置片と底片部との間には段差が発生し難く、同止水片に当て止められた雨水はこの設置片及び底片部の上を抵抗少なく流れて、軒樋から同排水接続具、呼び樋へと支障なくスムーズに排水される。
【００１７】
本発明の請求項５記載の呼び樋接続構造は、上記請求項４記載の呼び樋接続構造において、排水接続具のフランジの両側片部及び上片部の内周角部分に面取り状部を形成したことを特徴とする。
【００１８】
したがって、この場合は特に、軒樋の長手方向から後方へと向きを変えて流れる雨水にとって、排水接続具のフランジの両側片部及び上片部の内周角部分は抵抗となり易いものであるが、この内周角部分には面取り状部が形成されているため、同雨水は呼び樋へと抵抗少なくよりスムーズに排水されて、雨水の排水効率がより向上される。
【００１９】
【発明の実施の形態】
図１〜３は、本発明の請求項１〜５全てに対応した一実施形態である呼び樋接続構造を示している。この呼び樋接続構造は、軒樋１の後壁部２に排水開口３を形成し、この排水開口３に後方へ連設される呼び樋４の前端部５を接続してなるものである。この呼び樋接続構造では、軒樋１の内部前方に、同軒樋１の内部をその長手方向に沿って流れる雨水Ｗを当て止めて後方へと案内する止水片６を設けている。
【００２０】
又、この実施形態の呼び樋樋接続構造では、図２に示す如く、止水片６を軒樋１の長手方向と略直交する板状に形成し、この止水片６を排水開口３の略中央に対応位置させて、この排水開口３と同止水片６の後端縁７との間に流水スペースＳが残存されるように、同止水片６を設けている。この場合、止水片６の前端縁８を軒樋１の前壁部９の内面に沿った形状とし、下端縁１０を同軒樋１の底部１１の内面に沿った形状として、この下端縁１０から両側方へ突出する設置片１２を同止水片６と一体に形成し、この設置片１２を同軒樋１の底部１１の内面に取着固定して、同止水片６を設けてもいる。
【００２１】
更に、この実施形態の呼び樋樋接続構造では、排水開口３に後方へ突出する排水接続具１３を取着固定して、この排水接続具１３に呼び樋４の前端部５を接続し、同排水接続具１３の前端部分に形成されて前記排水開口３に沿い軒樋１の内面に当接されるフランジ１４の底片部１５の前端１５ａに、この底片部１５と略同厚に形成した設置片１２の後端１２ａが当接されるように、止水片６を設けている。この場合、排水接続具１３のフランジ１４の両側片部１６及び上片部１７の内周角部分に面取り状部１８ａ、１８ｂを形成してもいる。
【００２２】
以下、この実施形態の呼び樋接続構造を、より詳細に説明する。軒樋１は合成樹脂、金属板、或いは、これ等の複合材料で形成され、上方へ開口した断面略コ字型となっている。軒樋１は、前方へ傾倒しその外面側が断面略階段状に形成された前壁部９と、この前壁部９よりも低い直立状の後壁部２と、同前壁部９及び後壁部２をその下端部分で連続させる略平坦状の底部１１と、でなる。それ故、降り落ちる雨が軒樋１の前壁部９で確実に受けられ、この受けられた雨水Ｗは同前壁部９の傾斜に沿って後方へと流れ易いものである。又、軒樋１の前壁部９及び後壁部２の上端部分には、各々、中空形状の前耳部３４と後耳部３５とが一体に形成されている。
【００２３】
前記軒樋１の後壁部２には、その下端に沿って同軒樋１の底部１１内面と連続する横長矩形状の排水開口３が形成される。この排水開口３は、通常は施工現場において、排水接続具１３の外周径よりも若干大きめに開口形成される。そして、排水開口３には、その前方から排水接続具１３が挿入して取り付けられる。排水接続具１３の前端部分には、上片部１７、底片部１５、両側片部１６でなり全周囲にわたるフランジ１４が一体に形成されており、このフランジ１４の背面が軒樋１の内面に当接される。その際、フランジ１４の背面と軒樋１の内面との間は、接着剤が介在されて、接着結合されると両者の間は密閉される。
【００２４】
又、前記フランジ１４の底片部１５は矩形平板状で、排水接続具１３の前端部分から前方へ略水平に突設されており、この底片部１５は軒樋１の底部１１後方の内面上に接着固定される。そして、排水接続具１３のフランジ１４の両側片部１６及び上片部１７の内周角部分には、後方へと向きを変えて流れる雨水Ｗが当たり易いものであるが、同内周角部分には面取り状部１８ａ、１８ｂが形成されている。この場合、側片部１６の内周角部分の面取り状部１８ａは傾斜した平面状に形成され、上片部１７の内周角部分の面取り状部１８ｂはＲ面状に形成されている。
【００２５】
排水接続具１３の内部にはメッシュ状のゴミ避け体１９が設けられており、このゴミ避け体１９によって落ち葉や紙片等のゴミが同排水接続具１３から呼び樋４内へと雨水と共に流入することが防止されて、同呼び樋４や後記する竪樋２６は詰まり難くなる。このゴミ避け体１９は、アルミニウム等の金属のメッシュ板や多孔状の合成樹脂板でなり、排水接続具１３に取り付けられて、或いは、射出成形で一体に設けられる。
【００２６】
又、排水接続具１３の後端部分には接続筒部２０が一体に形成されており、呼び樋４の前端部５はこの接続筒部２０に挿入嵌合されて接続される。呼び樋４は軒樋１の後方へ略水平に突設され、この軒樋１の底部１１と同呼び樋４の下面とは略同一高さとなって略水平に連設される。呼び樋４の後端部２１は閉塞されており、建物の外壁下地面２２に取着固定された縦断面略コ字型の支持具２３に同後端部２１が嵌合保持されて、同呼び樋４は前記軒樋１とこの支持具２３とにより前後で確実に支持され取り付けられる。
【００２７】
この場合、呼び樋４の後端部２１は支持具２３に前後方向摺動自在に嵌合保持されていて、熱による同呼び樋４の伸縮が吸収される。又、呼び樋４の後端部２１近傍には短筒状の接続排水筒部２４が一体に垂下突設されており、この接続排水筒部２４に落とし口具２５を介して竪樋２６の上端部分が嵌合接続される。この場合は、落とし口具２５に竪樋２６の上端部分が上下方向摺動自在に嵌合されていて、熱による同竪樋２６の伸縮が吸収される。
【００２８】
図４に示す如く、呼び樋４は偏平な形状で、その略平坦な上面の両側部分がＲ状に形成され、その下面全体は略平坦状に形成されており、同下面に長手方向に沿った複数の凸条２７が並設されている。又、呼び樋４はブロー成形により合成樹脂で一体に形成されたもので、形状設計に自由度があり、前記接続排水筒部２４や凸条２７等も同時に一体に形成されている。
【００２９】
止水片６は直立する板状で、その下端縁１０から両側方に突設される両設置片１２と一体に合成樹脂等で形成され、同止水片６と両設置片１２とで全体が正面視略逆Ｔ字状に形成される。止水片６の前端縁８は軒樋１の前壁部９の内面に沿った略波形湾曲線状に形成され、下端縁１０は同軒樋１の底部１１の内面に沿った略水平直線状に形成されており、又、同止水片６の上端縁は略水平直線状に、後端縁７は略垂直線状に各々形成されている。
【００３０】
そして、設置片１２が軒樋１の底部１１の前方内面上に接着固定されるもので、この部分には前記排水接続具１３のフランジ１４の底片部１５が接着固定されない。これにより、止水片６が軒樋１の内部前方に設けられ、その際、この止水片６は軒樋１の長手方向と略直交すると共に排水開口３の略中央に対応位置されて、この排水開口３と同止水片６の後端縁７との間に、前記フランジ１４の底片部１５に対応する範囲で流水スペースＳが残存される。
【００３１】
又、設置片１２はフランジ１４の底片部１５と略同厚に形成されており、この底片部１５の前端１５ａに同設置片１２の後端１２ａが当接されるように、前記止水片６は設置固定されるものである。この場合、底片部１５の前端１５ａ及び設置片１２の後端１２ａはいずれも直線状で全長にわたり相互に当接して、両者の間に段差が発生しないものであり、又、同設置片１２の前端部分は軒樋１の底部１１の前端コーナー部分に適合して、この設置片１２が同軒樋１の底部１１の内面上に位置決めされて容易に接着固定される。
【００３２】
ところで、この実施形態の呼び樋樋接続構造では、図５に示す如く、軒先部２８の前面部分に鼻先カバー板２９が取着固定され、この鼻先カバー板２９の前側に形成される取付支持部３０に樋支持具３１が嵌合固定され、この樋支持具３１によって前記軒樋１は同軒先部２８に取着支持されている。この場合、樋支持具３１の前側には前樋保持片３２が、後側には後樋保持片３３が設けられており、前樋保持片３２に前耳部３４が、後樋保持片３３に後耳部３５が各々係止されることによって、軒樋１は同樋支持具３１に吊り下げ保持される。又、その際、樋支持具３１に一体に突設された垂下片３６の下端部分が軒樋１の底部１１内面前側に係合されるので、同軒樋１はがたつき動いて外れないよう確実に保持される。
【００３３】
又、この場合には、鼻先カバー板２９に開口（図示せず）が形成され、この開口を通して前記呼び樋４と軒樋１とが排水接続具１３を介して連設接続される。更には、軒先部２８上に水切り板３７を介して屋根材３８が葺設されており、この同水切り板３７の先端部分は軒樋１の内方へ向かって傾斜しており、同屋根材３８の先端から流下する雨水がこの水切り板３７上を伝って、同軒樋１内へとスムーズに案内集水される。ここでは、鼻先カバー板２９の上端部分に形成された前方へ突出する折曲片部３９に水切り板３７の中程の折曲部分が係止されて、この水切り板３７は同鼻先カバー板２９との間に隙間を生じないよう保持され、軒先部２８の下側への雨水の侵入が防止される。
【００３４】
そして、鼻先カバー板２９の下端には前片４０と後片４１とが前後に略水平方向に突設されており、この前片４０と後片４１とで同鼻先カバー板２９全体は断面略逆Ｔ字型に形成されている。この場合、前片４０によって軒樋１の底部１１と軒先部２８の下側面とが略面一状に連続されると共に、両者間の隙間は下方から見えないように隠される。又、後片４１上には軒天井板４２の前端部分が係止されて支持され、この軒天井板４２と前記軒樋１の底部１１とは略面一状に連続される。
【００３５】
又、この場合、前記呼び樋４が施工される部位では、軒天井板４２の施工が省略されて、同呼び樋４は下方へ露出するものである。そして、前記の如く、呼び樋４の下面に並設された複数の凸条２７が下方から見えるのであるが、軒天井板４２の下面にはこの複数の凸条２７と同じ様相となる凸模様４４が施されているので、同呼び樋４はその両側の軒天井板４２の間で違和感なく納まる。なお、軒天井板４２は無機質板や木質板でなり、その後端部分は、建物の外壁下地面２２に施工される外装板４３の上端部分に接合されて支持固定される。
【００３６】
したがって、この実施形態の呼び樋接続構造においては、図２に示す如く、軒樋１の内部をその長手方向に沿って流れる雨水Ｗが、この軒樋１の内部前方に設けられる止水片６で当て止められると、同雨水Ｗはその流れる勢いで向きを変えて後方へと案内されて流れ、同軒樋１の後壁部２の排水開口３に後方へ連設接続される呼び樋４へとスムーズに排水される。そのため、軒樋１の内部に多量の雨水が残留することは防止され、雨水Ｗの排水効率が向上される。
【００３７】
しかも、この実施形態の呼び樋接続構造においては、軒樋１の長手方向と略直交する板状の止水片６が排水開口３の略中央に対応位置されるので、この止水片６で当て止められた雨水Ｗは、同排水開口３の略中央へ向かって流され、呼び樋４の内部へとスムーズに排水されて、雨水Ｗの排水効率がより向上される。
【００３８】
又、一般に、呼び樋４は建物のコーナー付近に配置施工され、軒樋１の長手方向の端部付近に連設接続されるものであって、この場合、同端部とは反対側から止水片６に多量の雨水が当て止められることになる。その際、排水開口３と止水片６の後端縁７との間には流水スペースＳが残存されているので、雨水Ｗは同止水片６の両側へ行き来することができて、この雨水Ｗは同排水開口３へと両側から均等に流入され、この排水開口３付近に淀むことなく呼び樋４へとよりスムーズに排水されて、雨水Ｗの排水効率がより向上されるものでもある。
【００３９】
更に、この実施形態の呼び樋接続構造においては、止水片６の前端縁８及び下端縁１０が軒樋１の前壁部９及び底部１１の内面に各々沿った形状とされるので、この止水片６の前方及び下方には隙間が生じ難く、隙間を通って雨水Ｗに乱流を発生することが防止されて、同雨水Ｗは漏れなく確実に後方へと案内され、呼び樋４内へとよりスムーズに排水されて、雨水Ｗの排水効率がより向上される。
【００４０】
しかも、止水片６の下端縁１０から両側方へ一体に突出する設置片１２が形成されて、この設置片１２を軒樋１の底部１１の内面に取着固定しているので、この軒樋１の底部１１の内面に同止水片６は簡単且つ確実に立設される。又、これにより、止水片６の下方における前記隙間の発生が確実に防止されるようにもなる。
【００４１】
又、この実施形態の呼び樋接続構造においては、軒樋１の排水開口３と呼び樋４の前端部５とは排水接続具１３を介して連設接続され、その際、この排水接続具１３の前端部分に形成されるフランジ１４が同排水開口３に沿い軒樋１の内面に当接されるので、この軒樋１と同呼び樋４とは水漏れしないよう簡単且つ確実に接続される。
【００４２】
しかも、排水接続具１３のフランジ１４の底片部１５前端１５ａに、この底片部１５と略同厚に形成した設置片１２の後端１２ａが当接されるように、止水片６を設けているので、同設置片１２と底片部１５との間で上面には段差が発生し難く、同止水片６に当て止められた雨水Ｗはこの設置片１２及び底片部１５の上を抵抗少なく流れて、軒樋１から同排水接続具１３、呼び樋４へと支障なくスムーズに排水される。
【００４３】
又、この実施形態の呼び樋接続構造においては、軒樋１の長手方向から後方へと向きを変えて流れる雨水Ｗにとって、排水接続具１３のフランジ１４の両側片部１６及び上片部１７の内周角部分は抵抗となり易いものであるが、この内周角部分には面取り状部１８ａ、１８ｂが形成されているため、同雨水Ｗは呼び樋４へと抵抗少なくよりスムーズに排水されて、雨水Ｗの排水効率がより向上される。
【００４４】
【発明の効果】
上述の如く、本発明の請求項１記載の呼び樋接続構造においては、軒樋の内部を流れる雨水が、止水片で当て止められて後方へと向きを変えるように案内されて流され、呼び樋へとスムーズに排水されて、同軒樋の内部に多量の雨水が残留することは防止され、雨水の排水効率が向上される。
【００４５】
又、本発明の請求項２記載の呼び樋接続構造においては、特に、止水片で当て止められた雨水が排水開口の略中央へ向かって流され、しかも、この雨水は同排水開口へと両側から均等に流され、この排水開口付近に淀むことなく呼び樋内へとスムーズに排水されて、雨水の排水効率がより向上される。
【００４６】
又、本発明の請求項３記載の呼び樋接続構造においては、特に、止水片の前方及び下方に隙間が生じ難くて、雨水は確実に後方へと案内され、呼び樋へとよりスムーズに排水されて、雨水の排水効率がより向上され、又、設置片を軒樋の底部の内面に取着固定することで、同止水片は簡単且つ確実に立設される。
【００４７】
又、本発明の請求項４記載の呼び樋接続構造においては、特に、軒樋と呼び樋とが排水接続具のフランジを介し連設されて、水漏れしないよう簡単且つ確実に接続され、しかも、このフランジの底片部と設置片との間には段差が発生し難くて、止水片に当て止められた雨水は抵抗少なく流れ、同軒樋から排水接続具、呼び樋へと支障なくスムーズに排水される。
【００４８】
又、本発明の請求項５記載の呼び樋接続構造においては、特に、排水接続具のフランジの両側片部及び上片部の内周角部分に面取り状部が形成されていて、後方へと向きを変えて流れる雨水は呼び樋へと抵抗少なくよりスムーズに排水されて、雨水の排水効率がより向上される。
【図面の簡単な説明】
【図１】本発明の一実施形態である呼び樋接続構造の全体を示す縦断面図。
【図２】同呼び樋接続構造の要部を示す平面図。
【図３】同呼び樋接続構造の要部を示す分解斜視図。
【図４】同呼び樋接続構造における呼び樋を示す正面図。
【図５】同呼び樋接続構造が施工される軒先部分を示す縦断面図。
【図６】従来例である呼び樋接続構造を示す縦断面図。
【符号の説明】
１　軒樋
２　後壁部
３　排水開口
４　呼び樋
５　前端部
６　止水片
７　後端縁
８　前端縁
９　前壁部
１０　下端縁
１１　底部
１２　設置片
１２ａ　後端
１３　排水接続具
１４　フランジ
１５　底片部
１５ａ　前端
１６　側片部
１７　上片部
１８ａ　面取り状部
１８ｂ　面取り状部
Ｗ　雨水
Ｓ　流水スペース
【図１】
2004084219.tif 000003
【図２】
2004084219.tif 000004
【図３】
2004084219.tif 000005
【図４】
2004084219.tif 000006
【図５】
2004084219.tif 000007
【図６】
2004084219.tif 000008